(57)【要約】  本発明の投射型表示装置は、ランプと、ランプに点灯電力を供給するランプ駆動部と、ランプ出射光を透過させるときの透過量が可変である光学絞りと、映像信号に応じて、点灯電力の電力値と光学絞りの透過量とを特定し、特定した電力値を示す第１の信号と透過量を示す第２の信号とを出力する解析部と、ランプ駆動部に対して、第１の信号が示す電力値の点灯電力を供給させ、外部から電力値設定が入力された場合には電力値設定に示される点灯電力を供給させ、供給電力値が所定の閾値よりも低い電力が一定時間以上継続すると、点灯電力の電力値を所定値に変化させるとともに、変化の前後の電力値を示す第３の信号を出力する電力決定部と、第２の信号に応じて光学絞りを制御し、第３の信号が入力された場合には第３の信号が示す電力値の変化の前後で、映像光の光量が一定となる透過量を特定して、光学絞りを制御する絞り制御部と、を有する。
2012063336.tif 000002
【特許請求の範囲】
【請求項１】
映像信号に基づいて映像光を投射する投射型表示装置であって、
ランプと、
前記ランプに点灯電力を供給するランプ駆動部と、
前記ランプから出射された光を透過させるとともに、透過させるときの透過量が可変である光学絞りと、
前記ランプから出射された光を前記映像信号の振幅に応じて変調して、前記映像光として出射する表示素子と、
前記映像信号に応じて、前記点灯電力の電力値と前記光学絞りの透過量とを特定し、特定した電力値を示す第１の信号と透過量を示す第２の信号とを出力する解析部と、
前記ランプ駆動部に対して、前記第１の信号が示す電力値の点灯電力を供給させ、外部から電力値設定が入力された場合には該電力値設定に示される点灯電力を供給させ、これらの前記ランプ駆動部に対する供給状態を監視し、供給電力値が所定の閾値よりも低い電力が一定時間以上継続したことを検出すると、前記点灯電力の電力値を前記閾値以上の所定値に一定時間変化させるとともに、前記変化の前後の電力値を示す第３の信号を出力する電力決定部と、
前記第２の信号に応じて前記光学絞りを制御し、前記第３の信号が入力された場合には該第３の信号が示す電力値の変化の前後で、前記映像光の光量が一定となる前記光学絞りの透過量を特定して、前記光学絞りを制御する絞り制御部と、を有することを特徴とする投射型表示装置。
【請求項２】
請求項１記載の投射型表示装置であって、
前記解析部は、前記特定した電力値の点灯電力で投射される前記映像光の光量が、前記点灯電力の電力値を前記特定した電力値に変更せずに投射される前記映像光の光量と同じになる前記映像信号の振幅値を特定し、特定した振幅値を示す第４の信号を出力し、
前記第４の信号に応じて、前記映像信号の振幅値を制御して、前記表示素子に入力する振幅制御部を、さらに有することを特徴とする投射型表示装置。
【請求項３】
請求項２記載の投射型表示装置であって、
前記絞り制御部は、前記第３の信号が示す電力値の変化の前後で、前記光学絞りの透過量を最小にしても、前記映像光の光量が一定とならない場合、前記光学絞りの透過量を最小にするとともに、前記映像光の光量が一定となる前記映像信号の振幅値を特定し、特定した振幅値を示す第５の信号を出力し、
前記振幅制御部は、前記第５の信号に応じて、前記映像信号の振幅値を制御することを特徴とする投射型表示装置。
【請求項４】
請求項２または３記載の投射型表示装置であって、
前記解析部は、所定期間における前記映像信号の振幅の最大値および平均値を検出し、前記検出した最大値に応じて、前記点灯電力の電力値および前記映像信号の振幅値を特定し、前記検出した平均値に応じて、前記光学絞りの透過量を決定することを特徴とする投射型表示装置。
【請求項５】
ランプと、前記ランプに点灯電力を供給するランプ駆動部と、前記ランプから出射された光を透過させるとともに、透過させるときの透過量が可変である光学絞りと、前記ランプから出射された光を映像信号の振幅に応じて変調して、映像光として出射する表示素子と、を備える投射型表示装置の制御方法であって、
解析部が、前記映像信号に応じて、前記点灯電力の電力値と前記光学絞りの透過量とを特定し、特定した電力値を示す第１の信号と透過量を示す第２の信号とを出力し、
電力決定部が、前記ランプ駆動部に対して、前記第１の信号が示す電力値の点灯電力を供給させ、外部から電力値設定が入力された場合には該電力値設定に示される点灯電力を供給させ、これらの前記ランプ駆動部に対する供給状態を監視し、供給電力値が所定の閾値よりも低い電力が一定時間以上継続したことを検出すると、前記点灯電力の電力値を前記閾値以上の所定値に一定時間変化させるとともに、前記変化の前後の電力値を示す第３の信号を出力する電力決定部と、
絞り制御部が、前記第２の信号に応じて前記光学絞りを制御し、前記第３の信号が入力された場合には該第３の信号が示す電力値の変化の前後で、前記映像光の光量が一定となる前記光学絞りの透過量を特定して、前記光学絞りを制御することを特徴とする投射型表示装置の制御方法。
【請求項６】
請求項５記載の投射型表示装置の制御方法であって、
前記解析部が、前記特定した電力値の点灯電力で投射される前記映像光の光量が、前記点灯電力の電力値を前記特定した電力値に変更せずに投射される前記映像光の光量と同じになる前記映像信号の振幅値を特定し、特定した振幅値を示す第４の信号を出力し、
振幅制御部が、前記第４の信号に応じて、前記映像信号の振幅値を制御して、前記表示素子に入力することを特徴とする投射型表示装置の制御方法。
【請求項７】
請求項６記載の投射型表示装置の制御方法であって、
前記絞り制御部が、前記第３の信号が示す電力値の変化の前後で、前記光学絞りの透過量を最小にしても、前記映像光の光量が一定とならない場合、前記光学絞りの透過量を最小にするとともに、前記映像光の光量が一定となる前記映像信号の振幅値を特定し、特定した振幅値を示す第５の信号を出力し、
前記振幅制御部が、前記第５の信号に応じて、前記映像信号の振幅値を制御することを特徴とする投射型表示装置の制御方法。
【請求項８】
請求項６または７記載の投射型表示装置の制御方法であって、
前記解析部が、所定期間における前記映像信号の振幅の最大値および平均値を検出し、前記検出した最大値に応じて、前記点灯電力の電力値および前記映像信号の振幅値を特定し、前記検出した平均値に応じて、前記光学絞りの透過量を決定することを特徴とする投射型表示装置の制御方法。
【発明の詳細な説明】
【技術分野】
【０００１】
本発明は、投射型表示装置およびその制御方法に関する。
【背景技術】
【０００２】
映像信号に基づいて映像光を投射する投射型表示装置は、一般に、ランプと、ランプから出射された光（以下、ランプ出射光と称する）を映像信号に応じて変調し、映像光として出射する表示素子と、を備える。近年、このような投射型表示素子において、消費電力の低減および投射映像のコントラストの向上が重要な課題となっている。【０００３】
消費電力を低減させるには、ランプの点灯電力の電力値を下げればよい。【０００４】
点灯電力の電力値を下げる方法としては、外部から電力値設定を受け付ける機能を投射型表示装置が備え、ユーザが電力値設定により、点灯電力の電力値を下げる方法がある。しかし、点灯電力の電力値を下げると、ランプの輝度が低下し、映像光が暗くなる。【０００５】
そこで、特許文献１（特開平１１−６５５２８号公報）には、映像信号の振幅の最大値が低いほど点灯電力の電力値を下げるとともに、画面全体の明るさが電力値を下げない場合と同じとなるように、映像信号の振幅値を補正する方法が開示されている。この方法によれば、同じ明るさの映像光をより少ない消費電力で投射できる。【０００６】
また、投射映像のコントラストを向上させる方法として、特許文献２（特開２００２−２３１０６号公報）には、ランプ出射光を透過させるとともに、透過させるときの透過量が可変である光学絞りを投射型表示装置が備え、光学絞りの透過量を制御することで、投射映像のコントラストを向上させる方法が開示されている。【０００７】
上述したような、点灯電力の電力値を下げる方法と光学絞りの透過量を制御する方法とを適用した投射型表示装置によれば、消費電力の低減、および、投射映像のコントラストの向上を図ることができる。【０００８】
ところで、一般に、投射型表示装置のランプとしては、放電灯が用いられる。ランプの点灯中には、ランプの電極間の放電に伴い電極から蒸発した電極物質が、ランプの発光管内に封入されたハロゲンガスの作用により、再び電極に付着するというハロゲンサイクルが生じる。このハロゲンサイクルを安定して発生させることで、ランプの寿命低下やフリッカの発生を抑制することができる。【０００９】
ここで、点灯電力の電力値が所定の閾値よりも低い場合には、ハロゲンサイクルが安定して発生しない。【００１０】
そこで、特許文献３（特開２００９−０９３８６２号公報）には、点灯電力の供給状態を監視し、供給電力値が所定の閾値よりも低い電力が一定時間以上継続したことを検出すると、点灯電力の電力値を所定の閾値以上の所定値に所定時間変化させるランプリフレッシュ処理を行うことで、電極および発光管の状態を正常に戻す技術が開示されている。
【先行技術文献】
【特許文献】
【００１１】
【特許文献１】特開平１１−６５５２８号公報
【特許文献２】特開２００２−２３１０６号公報
【特許文献３】特開２００９−０９３８６２号公報
【発明の概要】
【発明が解決しようとする課題】
【００１２】
しかしながら、上述したような、点灯電力の電力値を下げる方法と光学絞りの透過量を制御する方法とを適用した投射型表示装置において、点灯電力の電力値が所定の閾値よりも低い場合にランプリフレッシュ処理が行われると、点灯電力の電力値が変化する。点灯電力の電力値を変化させることは、すなわち、ランプの輝度を変化させることになるので、映像光の明るさが変化するという課題がある。【００１３】
本発明は、上述した課題を解決することができる投射型表示装置およびその制御方法を提供することにある。
【課題を解決するための手段】
【００１４】
上記目的を達成するために本発明の投射型表示装置は、
映像信号に基づいて映像光を投射する投射型表示装置であって、
ランプと、
前記ランプに点灯電力を供給するランプ駆動部と、
前記ランプから出射された光を透過させるとともに、透過させるときの透過量が可変である光学絞りと、
前記ランプから出射された光を前記映像信号の振幅に応じて変調して、前記映像光として出射する表示素子と、
前記映像信号に応じて、前記点灯電力の電力値と前記光学絞りの透過量とを特定し、特定した電力値を示す第１の信号と透過量を示す第２の信号とを出力する解析部と、
前記ランプ駆動部に対して、前記第１の信号が示す電力値の点灯電力を供給させ、外部から電力値設定が入力された場合には該電力値設定に示される点灯電力を供給させ、これらの前記ランプ駆動部に対する供給状態を監視し、供給電力値が所定の閾値よりも低い電力が一定時間以上継続したことを検出すると、前記点灯電力の電力値を前記閾値以上の所定値に一定時間変化させるとともに、前記変化の前後の電力値を示す第３の信号を出力する電力決定部と、
前記第２の信号に応じて前記光学絞りを制御し、前記第３の信号が入力された場合には該第３の信号が示す電力値の変化の前後で、前記映像光の光量が一定となる前記光学絞りの透過量を特定して、前記光学絞りを制御する絞り制御部と、を有する。【００１５】
上記目的を達成するために本発明の投射型表示装置の制御方法は、
ランプと、前記ランプに点灯電力を供給するランプ駆動部と、前記ランプから出射された光を透過させるとともに、透過させるときの透過量が可変である光学絞りと、前記ランプから出射された光を映像信号の振幅に応じて変調して、映像光として出射する表示素子と、を備える投射型表示装置の制御方法であって、
解析部が、前記映像信号に応じて、前記点灯電力の電力値と前記光学絞りの透過量とを特定し、特定した電力値を示す第１の信号と透過量を示す第２の信号とを出力し、
電力決定部が、前記ランプ駆動部に対して、前記第１の信号が示す電力値の点灯電力を供給させ、外部から電力値設定が入力された場合には該電力値設定に示される点灯電力を供給させ、これらの前記ランプ駆動部に対する供給状態を監視し、供給電力値が所定の閾値よりも低い電力が一定時間以上継続したことを検出すると、前記点灯電力の電力値を前記閾値以上の所定値に一定時間変化させるとともに、前記変化の前後の電力値を示す第３の信号を出力する電力決定部と、
絞り制御部が、前記第２の信号に応じて前記光学絞りを制御し、前記第３の信号が入力された場合には該第３の信号が示す電力値の変化の前後で、前記映像光の光量が一定となる前記光学絞りの透過量を特定して、前記光学絞りを制御する。
【発明の効果】
【００１６】
本発明によれば、消費電力の低減および投射映像のコントラストの向上を図ることができるとともに、点灯電力の電力値が変化した場合にも、映像光の明るさの変化を抑制することができる。
【図面の簡単な説明】
【００１７】
【図１】本発明の一実施形態の投射型表示装置の構成を示すブロック図である。
【図２】図１に示す光学絞りの構成を示す図である。
【図３】図１に示すランプの点灯電力とランプ出射光との関係とを示す図である。
【図４】図１に示す光学絞りの透過量と絞りモータの回転位置との関係を示す図である。
【図５Ａ】ランプ出射光の削減量と絞りモータの回転位置との関係を示す図である。
【図５Ｂ】ランプ出射光の削減量と映像信号の振幅値との関係を示す図である。
【図６Ａ】最大信号レベルと点灯電力の電力値との関係を示す図である。
【図６Ｂ】最大信号レベルと映像信号の振幅値との関係を示す図である。
【図７】平均信号レベルと光学絞りの透過量との関係を示す図である。
【図８】図１に示す投射型表示装置の自動モード時および手動モード時の動作を比較した図である。
【発明を実施するための形態】
【００１８】
以下に、本発明を実施するための形態について図面を参照して説明する。
【００１９】
図１は、本発明の一実施形態の投射型表示装置１００の構成を示すブロック図である。なお、図１において、実線矢印は電気信号を示し、白抜き矢印は光束を示す。
【００２０】
図１に示す投射型表示装置１００は、解析部１０１と、電力決定部１０２と、ランプ駆動部１０３と、ランプ１０４と、光学絞り１０５と、光量変換部１０６と、絞り制御部１０７と、絞り量変換部１０８と、絞りモータ駆動部１０９と、振幅制御部１１０と、表示素子駆動部１１１と、表示素子１１２と、を有する。
【００２１】
外部から与えられる映像信号は、解析部１０１と振幅制御部１１０とに入力される。
【００２２】
解析部１０１は、外部から与えられた映像信号の振幅の所定時間における平均値（以下、平均信号レベルと称する）と最大値（以下、最大信号レベルと称する）とを検出する。
【００２３】
また、解析部１０１は、検出した最大信号レベルに応じて、点灯電力の電力値と映像信号の振幅値とを特定し、検出した平均信号レベルに応じて、ランプ出射光の光量の削減量を特定する。さらに、解析部１０１は、特定した、電力値を電力決定部１０２に通知し、振幅値を振幅制御部１１０に通知し、削減量を絞り制御部１０７に通知する。
【００２４】
なお、解析部１０１により特定される電力値の範囲は、ランプ１０４の定格電力の８０％から１００％程度の範囲であり、この範囲では、ランプリフレッシュ処理は不要である。
【００２５】
電力決定部１０２は、点灯電力の電力値を決定し、ランプ駆動部１０３に通知する。
【００２６】
ここで、電力決定部１０２は、解析部１０１から通知された電力値を点灯電力と決定する。また、電力決定部１０２は、外部から電力値設定が入力された場合には、設定された電力値を点灯電力の電力値と決定する。
【００２７】
なお、以下では、電力値設定が入力された状態を手動モードと称し、電力値設定が入力されていない状態を自動モードと称する。また、手動モードでは、ランプリフレッシュ処理が必要な、定格電力の８０％以下の電力値が設定されるものとする。
【００２８】
電力決定部１０２は、点灯電力の供給状態を監視し、供給電力値が所定の閾値よりも低い電力が一定時間以上継続したことを検出すると、ランプリフレッシュ処理を行うために、点灯電力の電力値を所定の閾値以上の所定値に所定時間変化させる旨をランプ駆動部１０３に通知する。なお、所定の閾値とは、定格電力の８０％程度の値である。
【００２９】
さらに、電力決定部１０２は、ランプリフレッシュ処理により変化する前後の電力値を光量変換部１０６に通知する。
【００３０】
ランプ駆動部１０３は、電力決定部１０２からの通知に応じて、ランプ１０４に点灯電力を供給し、ランプ１０４は、その点灯電力により駆動され、ランプ出射光を出力する。
【００３１】
光学絞り１０５は、ランプ出射光を透過させ、光学絞り１０５を透過した光は、表示素子１１２を照明する。
【００３２】
図２は、光学絞り１０５の構成の一例を示す図である。
【００３３】
図２に示すように、光学絞り１０５は、絞りモータ２０１と、ギア２０２，２０３ａ，２０３ｂと、ギア２０３ａ，２０３ｂの回転軸上に取り付けられた遮光板２０４ａ，２０４ｂとを有する。
【００３４】
絞りモータ２０１は、絞りモータ駆動部１０９の制御に従い、回転する。
【００３５】
絞りモータ２０１の回転に伴って、ギア２０２が回転する。ギア２０２とギア２０３ａ、ギア２０３ａとギア２０３ｂとはそれぞれかみ合っており、ギア２０２の回転に伴い、ギア２０３ａ，２０３ｂが回転し、遮光板２０４ａ，２０４ｂの開閉角度が変わる。遮光板２０４ａ、２０４ｂの開閉角度が変わることで、光学絞り１０５の透過量が変わる。つまり、光学絞り１０５の透過量は可変である。
【００３６】
再び、図１を参照すると、光量変換部１０６は、図３に示す、点灯電力の電力値とその電力値でのランプ出射光の光量との対応関係を記憶している。なお、図３において、横軸は、点灯電力の電力値を定格電力に対する割合で示し、縦軸は、各電力値でのランプ出射光の光量を定格電力でのランプ出射光の光量に対する割合で示したものである。図３に示すように、一般に、点灯電力の電力値とランプ出射光の光量とは比例関係にある。
【００３７】
光量変換部１０６は、電力決定部１０２から通知された、点灯電力の電力値の変化の前後でのランプ出射光の光量の変化量を、図３に示す対応関係から特定し、絞り制御部１０７に通知する。
【００３８】
絞り制御部１０７は、解析部１０１から通知されたランプ出射光の削減量を絞り量変換部１０８に出力する。また、絞り制御部１０７は、光量変換部１０６からランプ出射光の光量の変化量が通知されると、映像光の光量が一定となるように、ランプ出射光の光量の削減量を決定し、絞り量変換部１０８に通知する。
【００３９】
絞り量変換部１０８は、図４に示す、光学絞り１０５の透過量と絞りモータ２０１の回転位置との対応関係を記憶している。なお、図４において、横軸は、光学絞り１０５の透過量を示し、縦軸は、その透過量となる絞りモータ２０１の回転位置を示す。回転位置が０％では、遮光板２０４ａ、２０４ｂが全閉となり、１００％では全開となる。
【００４０】
絞り量変換部１０８は、ランプ出射光の光量の光学絞り１０５による削減量が、絞り制御部１０７から通知された削減量となる光学絞り１０５の透過量に対応する絞りモータ２０１の回転位置を、図４に示す対応関係を参照して特定し、絞りモータ駆動部１０９に通知する。
【００４１】
なお、光学絞り１０５は、絞りモータ２０１の回転位置が０％である場合にも、ランプ出射光を完全に遮光することはできず、ある程度のランプ出射光が透過する。したがって、絞り制御部１０７により決定されるランプ出射光の光量の削減量によっては、光学絞り１０５だけでは、十分に削減することができない場合がある。この場合、絞り制御部１０７は、光学絞り１０５で削減しきれない光量が表示素子１１２で削減されるような映像信号の振幅値を決定し、振幅制御部１１０に通知する。
【００４２】
ここで、絞り制御部１０７は、例えば、図５Ａおよび図５Ｂに示す、ランプ出射光の削減量と光学絞り１０５の透過量および映像信号の振幅値との対応関係を記憶している。なお、図５Ａおよび図５Ｂにおいては、光学絞り１０５は、ランプ出射光の光量をＡ％未満には削減できないものとする。
【００４３】
ランプ出射光の光量を１００％からＡ％の範囲で削減する場合、絞り制御部１０７は、図５Ａに示すように、光学絞り１０５の透過量だけを制御する。
【００４４】
一方、ランプ出射光の光量をＡ％未満にまで削減する場合、絞り制御部１０７は、光学絞り１０５の透過量をＡ％とするとともに、ランプ出射光の光量の削減量に対応する映像信号の振幅値を、図５Ｂに示す対応関係を参照して決定する。
【００４５】
振幅制御部１１０は、映像信号の振幅値を、解析部１０１から通知された振幅値に補正する。さらに、振幅制御部１１０は、絞り制御部１０７から振幅値が通知されると、映像信号の振幅値をその振幅値にもう一度補正する。そして、振幅制御部１１０は、振幅値を補正した映像信号を表示素子駆動部１１１に出力する。
【００４６】
表示素子駆動部１１１は、振幅制御部１１０から出力された映像信号を表示素子１１２に入力し、表示素子１１２は、映像信号の振幅に応じてランプ照明光を変調して、映像光として出射する。ここで、ランプ出射光は、映像信号の振幅値が小さいほど大きく減衰される。すなわち、映像光は、映像信号の振幅が小さいほど暗くなる。
【００４７】
次に、本実施形態の投射型表示装置１００の動作について説明する。
【００４８】
まず、自動モード時の動作について説明する。
【００４９】
外部から映像信号が与えられると、解析部１０１は、映像信号の平均信号レベルと最大信号レベルとを検出する。
【００５０】
また、解析部１０１は、図６Ａおよび図６Ｂに示す最大信号レベルと点灯電力の電力値および映像信号の振幅値との対応関係を記憶しており、検出した最大信号レベルに対応する点灯電力の電力値および映像信号の振幅値を、図６Ａおよび図６Ｂに示す対応関係を参照して特定する。ここで、最大信号レベルが最大である場合、点灯電力の電力値は最大であり、映像信号の振幅は、拡大も縮小もされていない標準値である状態となる。解析部１０１は、この状態を基準として、最大信号レベルが低下すれば、点灯電力の電力値を下げるとともに、映像信号の振幅値を大きくして、投射映像の明るさの変化を抑制する。
【００５１】
なお、上述したように、解析部１０１は、点灯電力の電力値を、定格電力８０％から１００％程度の範囲で特定する。
【００５２】
また、解析部１０１は、図７に示す平均信号レベルと光学絞り１０５の透過量との対応関係を記憶しており、検出した平均信号レベルに対応する光学絞り１０５の透過量を、図７に示す対応関係を参照して特定し、この特定した光学絞り１０５の透過量から、ランプ出射光の光量の削減量を特定する。
【００５３】
なお、解析部１０１は、平均信号レベルが低く、暗い状態では、光学絞り１０５の透過量を小さく、すなわち、ランプ出射光の光量の削減量を大きくする。ランプ出射光の光量の削減量を大きくすることで、投射映像の明るさが低下し、平均信号レベルが高く、明るい状態との相対的なコントラストを向上させることができる。
【００５４】
点灯電力の電力値、映像信号の振幅値、および、光学絞り１０５の透過量を特定すると、解析部１０１は、電力値を電力決定部１０２に通知し、振幅値を振幅制御部１１０の通知し、透過量を絞り制御部１０７に通知する。
【００５５】
電力決定部１０２は、解析部１０１から通知された電力値の点灯電力をランプ駆動部１０２に供給させる。
【００５６】
また、絞り制御部１０７は、解析部１０１から通知された透過量を絞り量変換部１０８に通知し、絞り量変換部１０８は、その透過量に対応する絞りモータ２０１の回転位置を特定し、絞りモータ駆動部１０９に通知する。
【００５７】
絞りモータ駆動部１０９は、絞り量変換部１０８から通知された回転位置まで絞りモータ２０１を回転させ、光学絞り１０５の透過量を制御する。
【００５８】
振幅制御部１１０は、映像信号の振幅値を、解析部１０１から通知された振幅値に補正し、表示素子駆動部１１１に出力し、表示素子駆動部１１１は、その映像信号を表示素子１１２に入力し、表示素子１１２を駆動させる。
【００５９】
上述したように、解析部１０１は、同じ明るさの映像光がより少ない消費電力で投射される、点灯電力の電力値および映像信号の振幅値を特定し、また、投射映像のコントラストが向上する、光学絞り１０５の透過量を特定している。したがって、解析部１０１により特定された点灯電力の電力値、映像信号の振幅値、および、光学絞り１０５の透過量とすることで、消費電力の低減および投射映像のコントラストの向上を図ることができる。
【００６０】
次に、手動モード時の動作について説明する。
【００６１】
解析部１０１の動作は、自動モード時と同様であるので説明を省略する。
【００６２】
電力値設定が入力されると、電力決定部１０２は、設定された電力値の点灯電力をランプ駆動部１０３に供給させる。
【００６３】
なお、上述したように、手動モードにおいて設定される電力値は、所定の閾値よりも低い。電力設定部１０２は、供給電力値が所定の閾値よりも電力が一定時間以上継続したことを検出すると、ランプリフレッシュ処理を行うために、点灯電力の電力値を所定の閾値よりも高い所定値に所定時間変化させる旨をランプ駆動部１０３に通知する。この所定の閾値よりも高い所定値は、ハロゲンサイクルが正常に生じる電力である。
【００６４】
また、電力決定部１０２は、ランプリフレッシュ処理により変化する前後の電力値を光量変換部１０６に通知する。
【００６５】
光量変換部１０６は、電力決定部１０２から通知された点灯電力の電力値の変化の前後でのランプ出射光の光量の変化量を特定し、絞り制御部１０７に通知する。
【００６６】
絞り制御部１０７は、光量変換部１０６から通知されたランプ出射光の光量の変化量と、解析部１０１から通知されたランプ出射光の光量の削減量と、に応じてランプ出射光の光量の削減量を決定、絞り量変換部１０８に通知する。
【００６７】
ここで、図４に示したように、回転モータ２０１の回転位置と光学絞り１０５の透過量とは、線形特性ではないため、単純に複数要因を合成することができない。そこで、絞り制御部１０７は、ランプ出射光の光量の削減量を決定するために演算処理を行う。具体的には、解析部１０１からランプ出射光の光量の削減量が１０％である旨が通知され、光量変換部１０６からランプ出射光の光量が２５％増加する旨が通知されたとすると、絞り制御部１０７は、０．９×１／１．２５＝０．７２の演算処理により、ランプ出射光の光量を７２％透過させる、すなわち、ランプ出射光の光量の削減量を２８％と決定する。
【００６８】
絞り量変換部１０８および絞りモータ駆動部１０９は自動モード時と同様の動作を行い、光学絞り１０５の透過量が制御される。このように、ランプリフレッシュ処理により点灯電力の電力値が変化した場合にも、光学絞り１０５の透過量を制御することで、映像光の明るさの変化を抑制することができる。
【００６９】
なお、上述したように、光学絞り１０５の透過量を最小にしても、ランプ出射光は、ある程度、光学絞り１０５を透過する。
【００７０】
ここで、例えば、解析部１０１により、ランプ出射光を大きく削減する、すなわち、光学絞り１０５の透過量を小さくする、と特定されたとする。この状態で、ランプリフレッシュ処理が行われ、ランプ出射光の光量が増加した場合に、光学絞り１０５だけでは、ランプ出射光の光量の増加分を削減しきれない場合がある。
【００７１】
この場合、絞り制御部１０７は、光学絞り１０５の透過量を最小にする旨を絞り量変換部１０８に通知するとともに、光学絞り１０５で削減しきれない光量が表示素子１１２で削減されるような映像信号の振幅値を図５Ｂに示す対応関係を参照して決定し、振幅制御部１１０に通知する。
【００７２】
絞り制御部１０７からの通知に応じて、絞り量変換部１０８は、光学絞り１０５の透過量が最小となる絞りモータ２０１の回転位置を絞りモータ駆動部１０９に通知する。
【００７３】
また、振幅制御部１１０は、映像信号の振幅値を、絞り制御部１０７からの通知された振幅値に補正して、表示素子駆動部１１１に出力する。
【００７４】
このように、ランプリフレッシュ処理によりランプ出射光の光量が増加した場合に、光学絞り１０５だけではその増加分を削減しきれない場合にも、映像信号の振幅値を制御することで、映像光の明るさの変化を抑制することができる。
【００７５】
図８は、投射型表示装置１００の自動モード時および手動モード時の動作を比較した図である。
【００７６】
自動モードにおいては、映像信号の最大信号レベルに応じて、解析部１０１は、点灯電力の電力値を定格電力の８０％から１００％の範囲で特定し、その特定された電力値の点灯電力がランプ１０４に供給される。点灯電力の電力値が定格電力の８０％から１００％程度の範囲の範囲では、ランプリフレッシュ処理は不要となる。
【００７７】
また、最大信号レベルに応じて点灯電力の電力値を低下させた場合、映像信号の振幅値が補正されるので、電力値を低下させても映像光の明るさの変化は抑制される。
【００７８】
手動モードにおいては、点灯電力の電力値として、所定の閾値より低い、例えば、定格電力の８０％よりも低い電力値、例えば定格電力の２５％の電力値が設定される。そのため、通常モード時と比べて、映像光の明るさが暗くなる。また、点灯電力の電力値が所定の閾値よりも低いため、ランプリフレッシュ処理が必要となる。
【００７９】
ランプリフレッシュ処理が行われると、ランプ出射光の光量が増加し、映像光の明るさが変化してしまう。しかし、ランプ出射光の光量の増加分を、光学絞り１０５の透過量の制御により削減することで、映像光の明るさの変化を抑制する。また、光学絞り１０５だけではランプ出射光の光量の増加分を削減しきれない場合には、映像信号の振幅値を補正することで、映像光の明るさの変化を抑制する。
【００８０】
このように、本実施形態によれば、投射型表示装置１００は、映像信号に応じて、点灯電力の電力値、光学絞り１０５の透過量、および、映像信号の振幅値を特定し、その特定した電力の点灯電力をランプ１０４に供給するとともに、特定した透過量に応じて光学絞り１０５を制御し、また、映像信号の振幅値を補正する。
【００８１】
また、本実施形態によれば、投射型表示装置１００は、所定の閾値よりも低い電力値の点灯電力が所定時間以上、ランプ１０４に供給された場合には、点灯電力の電力値を上げるとともに、その電力値の変化の前後で、映像光の光量が一定となるように、光学絞り１０５の透過量を制御する。
【００８２】
そのため、消費電力の低減、および、投射映像のコントラストの向上を図ることができるとともに、ランプリフレッシュ処理により点灯電力の電力値が変化し、ランプ出射光の光量が変化した場合にも、映像光の明るさの変化を抑制することができる。
【００８３】
また、本実施形態によれば、投射型表示装置１００は、光学絞り１０５の透過量の制御だけでは映像光の光量を一定とすることができない場合、映像信号の振幅値を制御する。
【００８４】
そのため、より確実に、ランプリフレッシュ処理が行われた際の、映像光の明るさの変化を抑制することができる。
【００８５】
なお、本実施形態においては、映像信号の振幅の最大信号レベルと平均信号レベルとから、点灯電力の電力値などを特定する例を用いて説明したが、本発明はこれに限られるものではない。
【００８６】
例えば、映像信号の振幅の最大値および平均値のヒストグラムを生成し、その生成したヒストグラムに応じて、点灯電力などを特定するようにしてもよい。
【００８７】
また、例えば、映像信号に示される映像のうち、ごく限られた範囲（例えば、数画素程度）でのみ、最大信号レベルが検出された場合には、ノイズ等による影響が考えられる。このような検出結果を用いても、電力値などを適切に特定することができない。そのため、例えば、映像信号に示される映像のうち、少なくとも、１割程度の画素で同じ検出値となり、かつ、最も大きい振幅値を最大信号レベルとするようにしてもよい。
【００８８】
また、映像信号の階調を検出し、検出頻度の高い階調を平均信号レベルとするようにしてもよい。
【００８９】
また、本実施形態においては、ランプ１０４、光学絞り１０５、および、表示素子１１２が、この順に設けられた例を用いて説明したが、これに限られるものではない。例えば、ランプ１０４、表示素子１１２、光学絞り１０５の順に設けられるようにしてもよい。
【００９０】
また、表示素子として、液晶表示素子やデジタルマイクロミラーデバイス（ＤＭＤ素子）などを用いることができる。
【００９１】
以上、実施形態を参照して本願発明を説明したが、本発明は上記実施形態に限定されるものではない。本願発明の構成や詳細には、本願発明の範囲内で当業者が理解し得る様々な変更をすることができる。
【図１】
2012063336.tif 000003
【図２】
2012063336.tif 000004
【図３】
2012063336.tif 000005
【図４】
2012063336.tif 000006
【図５Ａ】
2012063336.tif 000007
【図５Ｂ】
2012063336.tif 000008
【図６Ａ】
2012063336.tif 000009
【図６Ｂ】
2012063336.tif 000010
【図７】
2012063336.tif 000011
【図８】
2012063336.tif 000012
【国際調査報告】
2012063336.tif 000013
2012063336.tif 000014
2012063336.tif 000015
2012063336.tif 000016